(57)【要約】      （修正有）【課題】遊休畑または田圃等を利用して極めて合理的なる土地利用を図った太陽電池パネルの設置を可能化するようにした太陽電池パネルの設置方法を提供する。【解決手段】所要の土地上に、農産物育成用の棚枠Ａを、所要段数にして所要列数を載設し、当該各列の間隔を、作業員の通り抜け及び棚枠Ａ上の農作物育成作業が行われる程度の距離を設け、更に、各最上位に位置する農産物育成用の棚枠Ａの上面に、太陽電池パネルＢを夫々設置する。【選択図】図１
2014200188.tif 000002
【特許請求の範囲】
【請求項１】
所要の土地上に、農産物育成用の棚枠を、所要段数にして所要列数を載設し、当該各列の間隔を、作業員の通り抜け及び棚枠上の農作物育成作業が行われる程度の距離を設け、更に、各最上位に位置する農産物育成用の棚枠の上面に、太陽電池パネルを夫々設置することを特徴とする太陽電池パネルの設置方法。
【請求項２】
各棚枠には、所要育成農産物を入れておくためのポットを、数珠状に連結した状態で収装し、当該ポットを入口寄り端部からこれを順次回動させることに依って、ポットの全体移動がなされるようにした請求項１に記載の太陽電池パネルの設置方法。
【請求項３】
各棚枠は、各段それぞれ独立したものを積み重ねて形成するようにした請求項１または請求項２の何れかに記載の太陽電池パネルの設置方法。
【請求項４】
棚枠の段数を１段以上として成る請求項１乃至請求項３の何れかに記載の太陽電池パネルの設置方法。
【請求項５】
各棚枠を夫々個々に、その全体を覆うためのカバー材を被せるようにした請求項１乃至請求項４の何れかに記載の太陽電池パネルの設置方法。
【請求項６】
カバー材として、雨水の浸透を阻止する防水性を具えたものを用いて成る請求項５に記載の太陽電池パネルの設置方法。
【請求項７】
カバー材として、保温性を具えたものを用いて成る請求項５または請求項６の何れかに記載の太陽電池パネルの設置方法。
【発明の詳細な説明】
【技術分野】
【０００１】
本発明は、所謂ソーラー発電を行うための太陽電池パネルの設置方法に関する。
【背景技術】
【０００２】
従来、ソーラー発電を行うための太陽電池パネルの設置は、家屋、ビル等の建物の屋根上に設置することを通例とした（例えば、特許文献１及び特許文献２参照。）。  この場合は比較的低出力の発電に限定され、個々の家毎の消費電力が得られる程度である。  そして、大規模のソーラー発電を行う手段としては、例えば遊休農地の利用が考えられ、また、実行に移されている。
【先行技術文献】
【特許文献】
【０００３】
【特許文献１】特開平０８−２６４８２０号公報
【特許文献２】特開２００４−２６３４５４号公報
【発明の概要】
【発明が解決しようとする課題】
【０００４】
上述した遊休農地を利用してソーラー発電を行う場合であるが、土地の上面に直接太陽電池パネルを設置するようにした場合、土地の有効利用とは決して称し得ないばかりでなく、当該太陽電池パネルの設置工事に伴い土地が荒れ、一定期間経過後、これを畑又は田圃として再使用をと要としても企図しても、殆ど不可能とされた。
【０００５】
一方、土地の再利用を断念し、例えば内部に人が入って作業する任意目的の建造物を構築し、その上面に太陽電池パネルを設置するようにすることも考えられる。  然し乍、この場合建物の構築には建築基準法等の法的規制を受けるため、経済的、建設期間的、並びに安全性の確保等に対する負担が著しいものとされる。
【０００６】
本発明はこのような従来の問題を解決し、遊休の畑または田圃等を利用して、極めて合理的なる土地利用を図った太陽電池パネルの設置を可能化するようにした太陽電池パネルの設置方法の提供するものである。
【課題を解決するための手段】
【０００７】
本発明は請求項１に記載のように、所要の土地上に、農産物育成用の棚枠を、所要段数にして所要列数を載設し、当該各列の間隔を、作業員の通り抜け及び棚枠上の農作物育成作業が行われる程度の距離を設け、更に、各最上位に位置する農産物育成用の棚枠の上面に、太陽電池パネルを夫々設置することを特徴とする太陽電池パネルの設置方法に係る。
【０００８】
本発明は請求項２に記載のように、各棚枠には、所要育成農産物を入れておくためのポットを、数珠状に連結した状態で収装し、当該ポットを入口寄り端部からこれを順次回動させることに依って、ポットの全体移動がなされるようにした請求項１に記載の太陽電池パネルの設置方法を実施の態様とする。
【０００９】
本発明は請求項３に記載のように、各棚枠は、各段それぞれ独立したものを積み重ねて形成するようにした請求項１または請求項２の何れかに記載の太陽電池パネルの設置方法を実施の態様とする。
【００１０】
本発明は請求項４に記載のように、棚枠の段数を１段以上として成る請求項１乃至請求項３の何れかに記載の太陽電池パネルの設置方法を実施の態様とする。
【００１１】
本発明は請求項５に記載のように、各棚枠を夫々個々に、その全体を覆うためのカバー材を被せるようにした請求項１乃至請求項４の何れかに記載の太陽電池パネルの設置方法を実施の態様とする。
【００１２】
本発明は請求項６に記載のように、カバー材として、雨水の浸透を阻止する防水性を具えたものを用いて成る請求項５に記載の太陽電池パネルの設置方法を実施の態様とする。
【００１３】
本発明は請求項７に記載のように、カバー材として、保温性を具えたものを用いて成る請求項５または請求項６の何れかに記載の太陽電池パネルの設置方法を実施の態様とする。
【発明の効果】
【００１４】
本発明は請求項１に記載のような構成、すなわち、所要の土地上に、農産物育成用の棚枠を、所要段数にして所要列数を載設し、当該各列の間隔を、作業員の通り抜け及び棚枠上の農作物育成作業が行われる程度の距離を設け、更に、各最上位に位置する農産物育成用の棚枠の上面に、太陽電池パネルを夫々設置するように構成したから、本発明に係る設備は所要の土地上に、農産物育成用の棚枠を、所要段数にして所要列数を載設し、当該各列の間隔を、作業員の通り抜け及び棚枠上の農作物育成作業が行われる程度の距離を設け、更に、各最上位に位置する農産物育成用の棚枠の上面に、太陽電池パネルを夫々設置する全て仮設形態を呈するものとされる。  従って、何時でも撤去することができ、かつ土地自体には何らの構築部材が残留することがないため、本発明を実施する土地が、遊休畑又は田圃であっても、これを荒らすことがなく、撤収後は再び畑又は田圃として利用可能とされる。
【００１５】
そして、本発明は内部に作業員が入り込むような建造物ではないため、その設置のための法的規制を受けることがなく、本発明の実施には何らの法的負担性を生じることなく達成される。
【００１６】
本発明は請求項２に記載のような構成、すなわち、各棚枠には、所要育成農産物を入れておくためのポットを、数珠状に連結した状態で収装し、当該ポットを入口寄り端部からこれを順次回動させることに依って、ポットの全体移動がなされるようにすることに依り、載設した各棚枠A相互の間隔Mを、作業員が歩ける程度の間隔とすることができる。
すなわち、例えば棚枠に対して引出し状の作業台を収装し、その上に育成農産物のポットを配置するようにした場合、育成作業に際して作業台を引き出さなければならないため、そのためのスペースを各棚の間に取らなければならないこととなるが、本発明にあってはこのようなスペースを採ることが不要化され、スペース的合理化がなされた設置が可能化される。
【００１７】
本発明は請求項３に記載のような構成、すなわち、各棚枠は、各段それぞれ独立したものを積み重ねて形成するようにすることに依り、設置及び退去の簡便性が図られることとなる。  そのため、本発明の実施が極めて容易かつ低コスト化されることとなる。
【００１８】
本発明は請求項４に記載のような構成、すなわち、棚枠の段数を１段以上とすることに依り、トマトのような丈高な育成植物から、キノコのような丈低な育成植物まで、各植物に適応した棚枠を採用することができる。
【００１９】
本発明は請求項５に記載のような構成、すなわち、各棚枠を夫々個々に、その全体を覆うためのカバー材を被せるようにすることにより、棚内の温度をむらのない均一化状態に保つことが可能化される。  従って、植物の育成むらを生じさせることなく、例えば寸法的に等しい育成要件を具えたものとするような均一性確保が図られる。
【００２０】
本発明は請求項６に記載のような構成、すなわち、カバー材として、雨水の浸透を阻止する防水性を具えたものを用いるような構成、若しくは、請求項７に記載のように、保温性を具えたものを用いるような構成を採ることに依り、育成対象植物に適した雰囲気での育成を図ることができる。
【図面の簡単な説明】
【００２１】
【図１】本発明のいつ実施例を表した説明用正面図である。
【図２】図１のX−X線断面図である。
【図３】本発明に用いる棚ブロック単体の側面図である。
【図４】同上平面図である。
【図５】棚枠に対する育成用ポットの配設形態の一例を表した説明用平面図である。
【図６】カバー材Cを用いた本発明の実施例を表した説明用断面図である。
【図７】カバー材Cの拡大断面図である。
【発明を実施するための形態】
【００２２】
本発明は、所要の土地上に、農産物育成用の棚枠を、所要段数にして所要列数を載設し、当該各列の間隔を、作業員の通り抜け及び棚枠上の農作物育成作業が行われる程度の距離を設け、更に、各最上位に位置する農産物育成用の棚枠の上面に、太陽電池パネルを夫々設置することを特徴とする太陽電池パネルの設置方法に関する。  図１及び図２は本発明に係る方法の一つの実施例を表したものである。
【００２３】
図１及び図２において、Aは農産物育成用の棚枠であって、当該棚枠Aは所要段数から成り、所要列数を、所定間隔を保って載設する。  そして、載設する土地は、空いている土地であれば如何なるものであっても良いが、遊休している畑または田圃を利用することが、本発明の特徴が生かされるために好ましい。
【００２４】
何故ならば、棚枠Aは土地上に単に載置しておくことを原則とするため、遊休している畑または田圃の場合、棚枠Aを退去させることに依って、土地を痛めることなく、現状に復することができるからである。  すなわち、遊休している畑または田圃に、建造物を構築してしまった場合、土地が痛み、これを撤去したとしても、畑又は田圃として再び利用することは不可能とされてしまうためである。
【００２５】
Bは太陽電池パネルであって、上記棚枠Aの上面に固定化し、太陽光を受け止めて電気を得るためのものである。  そして、太陽電池パネルB自体は既存のものを用いる。
【００２６】
ところで、上記した棚枠Aの形成形態であるが、所要段数を一体的に形成したものであっても良い。  然し乍、設置及び退去の簡便性を図るためには、図３及び図４に示すような、底板１aの両側部に側板1bを立ち上がらせるように一体的に形成した棚ブロック単体１を所要段数積み上げて形成することが好ましい。
【００２７】
次に、載設した各棚枠A相互の間隔Mであるが、これは作業員が歩ける程度の間隔とし、当該間隔M内において、棚枠上で育成する栽培物、例えばキノコ類、葉物野菜、根菜類、豆類、トマト類(この場合背丈が高いため棚は一段とする。)、等各種栽培物に対するセッティング作業及び育成済み栽培物の取り込み作業等を行うようにすることがが好ましい。
【００２８】
上記のような作業を可能化するための手段としては、図５に示すようなものがある。  これは、棚枠内を水で満たすと共に、この中に配置した培養用ポット２を数珠状に連結し、これを入口側から一つづつ送るように動かすことに依り、すべてのポット２に対して作業員に依る作業が及ぶように構成したものである。    なお、これは本願と同一発明者に係る特開２０１２−１３０３１８号公報に記載された技術である。
【００２９】
図６は棚枠A全体を所要のカバー材Cで覆うようにした場合の実施例を表したものである。  当該カバー材Cは図７に示すように、発泡スチロール製帯状板を御簾状に連結して成る心材部３の外面側に、ゴムシートのような防水性シート材４を貼り着すると共に、その表裏両面に保温材で形成する外装用保護シート５,６を全面的に貼り着するように構成したものである。  
【００３０】
上記したカバー材Cは保温と防水性の確保を図るためのものであり、例えば防水性だけを確保するものを用いても良い。  そして、作業に際しては当該カバー材Cをめくり上げて行うものである。  また、強い太陽光を必要とする場合は、これを取り外しておくこともある。
【符号の説明】
【００３１】
A  棚枠
１  棚ブロック単体
1a 
底板
1b 
側板
M 
棚枠相互の間隔
B  太陽電池パネル
２  培養用ポット
C 
カバー材
３  心材部
４  防水性シート材
５  外装用保護シート
６  外装用保護シート
【図１】
2014200188.tif 000003
【図２】
2014200188.tif 000004
【図３】
2014200188.tif 000005
【図４】
2014200188.tif 000006
【図５】
2014200188.tif 000007
【図６】
2014200188.tif 000008
【図７】
2014200188.tif 000009